【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】
その上に化学鎖を共有結合した基質を含み、その鎖が、構造：
【化１】
2004513981.tif 000001
〔式中、末端基は、親水性であり；Ｅは、窒素、酸素、リンおよび硫黄からなる群より選択され；Ｘは、有機置換基であり、かつ、ｍは、３以下の整数であり；Ｙは、アミド、アミド誘導体、アミン、アミン誘導体、環式エーテル、糖誘導体、アミノ酸、アミノ酸誘導体および多重ニトリルからなる群より選択され、かつ、ｐは、０より大きい整数であり；ＸおよびＹは、両方とも水素結合供与体を含まず；Ｒ１は、水素、Ｃ１−Ｃ６アルキルおよびアリールからなる群より選択され、かつ、ｎは、２以下の整数であり；
【化２】
2004513981.tif 000002
は、１つ以上の単結合、二重結合またはそのいずれかの組合せを表し；Ｒ１は、ＸまたはＹに結合して環式構造を形成してもよい。〕
を含む末端基を含む物品であって、蛋白質、細胞または細菌の吸着に耐えるように、水素結合供与体基を含まない表面を暴露し、かつ、蛋白質の単分子層の６０％以下を吸着する物品。
【請求項２】
ＸおよびＹがともに水素結合供与体である、請求項１に記載の物品。
【請求項３】
Ｅが窒素である、請求項１に記載の物品。
【請求項４】
末端基が全体として中性の電荷を有する、請求項１に記載の物品。
【請求項５】
物品が、基質に結合された複数の化学鎖の単分子層を含む、請求項１に記載の物品。
【請求項６】
単分子層が、自己集合した単分子層である、請求項５に記載の物品。
【請求項７】
化学鎖が第１の化学鎖であり、単分子層がさらに第１の化学鎖と異なる組成を有する第２の化学鎖を含み、第２の化学鎖が単分子層中化学鎖合計の約７５％未満の量存在し、そして第２の化学鎖が、構造：
【化３】
2004513981.tif 000003
を含む末端基を含む、請求項５に記載の物品。
【請求項８】
化学鎖が、末端基と、末端基および基質に共有結合したリンカーとを含み、そしてリンカーが、構造：
【化４】
2004513981.tif 000004
〔式中、ｑは、０より大きい整数である。〕
を含む、請求項１に記載の物品。
【請求項９】
基質が、第１の組成物を含み、化学鎖が、第１の組成物と異なる第２の組成物を含む、請求項１に記載の物品。
【請求項１０】
基質が、金属、セラミックおよびポリマーからなる群より選択される材料を含む、請求項９に記載の物品。
【請求項１１】
末端基が、水素結合受容体基を含む、請求項１に記載の物品。
【請求項１２】
末端基が、構造：
【化５】
2004513981.tif 000005
〔式中、Ｒ２は、Ｃ１−Ｃ６アルキル、エーテル、エーテル誘導体、エステル、ホルミル、カルボキシルおよびＣ（Ｏ）Ｒ３［式中、Ｒ３は、Ｃ１−Ｃ６アルキルである。］からなる群より選択される。〕
を含む、請求項１に記載の物品。
【請求項１３】
Ｙが、構造：
【化６】
2004513981.tif 000006
〔式中、Ｒ２およびＲ３は、異なるかまたは同一であり、各々、Ｃ１−Ｃ６アルキルである。〕
を含むアミドである、請求項１に記載の物品。
【請求項１４】
末端基が、構造：
【化７】
2004513981.tif 000007
〔式中、Ｒ２は、末端または結合Ｃ１−Ｃ６アルキルを含み、ｑおよびｒの各々は、０より大きい整数である。〕
を含む、請求項１３に記載の物品。
【請求項１５】
Ｙが、構造：
【化８】
2004513981.tif 000008
〔式中、Ｒ２は、Ｃ１−Ｃ６アルキルである。〕
を含む、請求項１に記載の物品。
【請求項１６】
Ｙが、構造：
【化９】
2004513981.tif 000009
を含むアミドである、請求項１に記載の物品。
【請求項１７】
Ｙが、構造：
【化１０】
2004513981.tif 000010
〔式中、カッコ内に囲まれた基は、アミノ酸またはアミノ酸誘導体を表し、Ｒ２は、Ｃ１−Ｃ６アルキルであり、Ｒ３、Ｒ４およびＲ５は、同一または異なっていてもよく、各々、有機基であり、ｑは、１より大きい整数である。〕
を含む、請求項１に記載の物品。
【請求項１８】
Ｙが、構造：
【化１１】
2004513981.tif 000011
〔式中、カッコ内に囲まれた基は、アミノ酸またはアミノ酸誘導体を表し、Ｒ２は、Ｃ１−Ｃ６アルキルであり、Ｒ３、Ｒ４およびＲ５は、同一または異なっていてもよく、各々、有機基であり、ｑは、１より大きい整数である。〕
を含む、請求項１に記載の物品。
【請求項１９】
末端基が、構造：
【化１２】
2004513981.tif 000012
を含む、請求項１に記載の物品。
【請求項２０】
Ｙが、Ｃ１−Ｃ６アルキルで過アルキル化された糖誘導体を含む、請求項１に記載の物品。
【請求項２１】
末端基が、構造：
【化１３】
2004513981.tif 000013
〔式中、Ｒ２およびＲ３は、同一または異なり、各々、Ｃ１−Ｃ６アルキルであり、ｑおよびｒは、同一または異なり、各々、０より大きい整数である。〕
を含む、請求項２０に記載の物品。
【請求項２２】
Ｙが、構造［（ＣＨ２）ｑ−ＣＮ］２（ここで、ｑは、０より大きい。）を含む多重ニトリルである、請求項１に記載の物品。
【請求項２３】
末端基が、構造：
【化１４】
2004513981.tif 000014
を含む、請求項２２に記載の物品。
【請求項２４】
その上に化学鎖の単分子層を共有結合した基質を含み、単分子層の鎖の少なくとも２５％が水素結合供与体を含まない親水性基で終了し、その親水性基が、アミド、アミド誘導体、アミン、アミン誘導体、環式エーテル、糖誘導体、アミノ酸、アミノ酸誘導体および多重ニトリルからなる群より選択される物品であって、単分子層の化学鎖が帯電され、反対の電荷を有する少なくとも１つの隣接化学鎖により中性とされている、蛋白質、細胞または細菌の吸着に耐える物品。
【請求項２５】
その上に共有結合した化学基を有する基質を含み、その化学基が、
【化１５】
2004513981.tif 000015
〔式中、Ｒ１、Ｒ４およびＲ７は、同一または異なり、各々、水素およびＣ１−Ｃ６アルキルからなる群より選択され；Ｒ３、Ｒ５、Ｒ７、Ｒ８およびＲ９は、同一または異なり、各々、Ｃ１−Ｃ６アルキルであり；Ｒ６は、Ｃ１−Ｃ６アルキルであり；ｍ、ｎおよびｐは、同一または異なり、かつ、各々、０より大きい整数である。〕
からなる群より選択される物品であって、蛋白質、細胞または細菌の吸着に耐える物品。
【請求項２６】
構造：
【化１６】
2004513981.tif 000016
〔式中、Ｒ１は、水素、Ｃ１−Ｃ６アルキルおよびアリールからなる群より選択され、ｎは、０または１に等しい整数である。〕
を含む結合を介してその上にポリアミンを共有結合した基質を含む物品であって、その物品が、蛋白質、細胞または細菌の吸着に耐える物品。
【請求項２７】
結合が、構造：
【化１７】
2004513981.tif 000017
〔式中、ｑは、１より大きい整数であり、Ｚは、１個の炭素原子または１個のヘテロ原子を含み、ｒは、０または１に等しい。〕
を含む、請求項６８に記載の物品。
【請求項２８】
ポリアミンが、架橋を含まない、請求項２７に記載の物品。
【請求項２９】
ポリアミンが、アシル化されている、請求項２７に記載の物品。
【請求項３０】
ポリアミンが、直鎖ポリ（エチレンイミン）、分岐したポリ（エチレンイミン）、ポリ（Ｎ−メチル−ビニルアミン）、ポリ（アリルアミン）およびポリ（Ｌ−リシン）からなる群より選択される、請求項２７に記載の物品。
【請求項３１】
繰返し単位にアミンを含む実質的に直鎖のポリマーに共有結合した基質を含む物品であって、その物品が、蛋白質、細胞または細菌の吸着に耐える物品。
【請求項３２】
ポリマーが、直鎖ポリ（エチレンイミン）、ポリ（Ｎ−メチル−ビニルアミン）、ポリ（アリルアミン）およびポリ（Ｌ−リシン）からなる群より選択される、請求項３１に記載の物品。
【請求項３３】
その上に化学鎖の単分子層を共有結合した基質を含み、単分子層の鎖の少なくとも２５％が親水性基を基質に結合させるためのリンカー基を含み、当該リンカー基は少なくとも１個のヘテロ原子により遮断されている実質上直鎖のメチル基を含み、単分子層の鎖の少なくとも２５％が水素結合供与体を含まない親水性基で終了し、その親水性基が、アミド、アミド誘導体、アミン、アミン誘導体、環式エーテル、糖誘導体、アミノ酸、アミノ酸誘導体および多重ニトリルからなる群より選択される物品であって、単分子層及び物品が蛋白質、細胞または細菌の吸着に耐える、物品。
【請求項３４】
単分子層が、自己集合単分子層を含む、請求項３３に記載の物品。
【請求項３５】
親水性基が、水素結合受容体基を含む、請求項３３に記載の物品。
【請求項３６】
単分子層の各化学鎖が、全体として中性の電荷を有する、請求項３３に記載の物品。
【請求項３７】
単分子層の化学鎖が帯電され、反対の電荷を有する少なくとも１つの隣接化学鎖により中性とされている、請求項３３に記載の物品。
【請求項３８】
リンカー骨格が、少なくとも３個の原子を含む、請求項３３に記載の物品。
【請求項３９】
メチレン基の直鎖が、アミド、アミン、ケトン、エステルおよびエーテルからなる群より選択される結合により遮断されている、請求項３３に記載の物品。
【請求項４０】
鎖の少なくとも５０％が、親水性基により終了している、請求項３３に記載の物品。
【請求項４１】
鎖の実質的に全てが、親水性基により終了している、請求項３３に記載の物品。
【請求項４２】
その上にポリアミンを共有結合した基質を含む物品であって、ポリアミンが、オリゴ（エチレングリコール）ｎ基（ここで、ｎは、１０以下である。）；本明細書で特許請求または列挙した組成物のいずれか；および、上記した組成物のいずれか２つ以上の混合物で終了する物品。